(57)【要約】【課題】相手端末が制御フレームを受信できていない状況で、情報フレームの送信状態に遷移して接続に失敗してしまうことを防止する。【解決手段】回線多重化装置１ａの回線多重部１５は、呼接続後に、イニシャル制御フレームＡを相手端末の回線多重化装置１ｂに送信し、回線多重化装置１ｂからのイニシャル制御フレームＡを受信後に、イニシャル制御フレームＢを回線多重化装置１ｂに送信し、回線多重化装置１ｂからのイニシャル制御フレームＢを受信後に、メディア多重分離部１４からの情報フレームをチャネル毎に分割して送信する。【選択図】        図１
2004282493.tif 000002
【特許請求の範囲】
【請求項１】
映像や音声やデータ等の複数のメディア情報を送受信する回線多重化装置において、
複数のメディア情報を多重化して、相手端末に送信する情報フレームを生成すると共に、上記相手端末から受信した複数のメディア情報を分離するメディア多重分離部と、
呼接続後に、第１のイニシャル制御フレームを上記相手端末に送信し、上記相手端末からの第１のイニシャル制御フレームを受信後に、第２のイニシャル制御フレームを上記相手端末に送信し、上記相手端末からの第２のイニシャル制御フレームを受信後に、上記メディア多重分離部からの情報フレームをチャネル毎に分割して送信する回線多重部とを備えたことを特徴とする回線多重化装置。
【請求項２】
回線多重部は、
受信したフレームが、第１のイニシャル制御フレーム、第２のイニシャル制御フレーム又は情報フレームであるかを判定するフレーム種別判定部と、
上記フレーム種別判定部の判定結果に基づき、送信するフレームを指示する送信フレーム制御部と、
第１及び第２のイニシャル制御フレームを生成し、上記送信フレーム制御部の指示に基づき、生成した第１のイニシャル制御フレーム及び第２のイニシャル制御フレームを送信すると共に、上記メディア多重分離部からの情報フレームをチャネル毎に分割して送信するフレーム分割部とを備えたことを特徴とする請求項１記載の回線多重化装置。
【請求項３】
フレーム分割部が生成する第１及び第２のイニシャル制御フレームは、ヘッダ情報におけるチャネルタグ情報が異なることを特徴とする請求項２記載の回線多重化装置。
【請求項４】
映像や音声やデータ等の複数のメディア情報を送受信する回線多重化装置において、
複数のメディア情報を多重化して、相手端末に送信する第１の情報フレームを生成すると共に、上記相手端末から受信した第１の情報フレームの複数のメディア情報を分離するメディア多重分離部と、
チャネル追加時にチャネル追加のための制御フレームを上記相手端末に送信し、上記相手端末からのチャネル追加のための制御フレームを受信後に、追加チャネルで上記メディア多重分離部からの第１の情報フレームを上記相手端末に送信し、上記相手端末からの上記追加チャネルの第１の情報フレームを再結合できない場合に、上記追加チャネルで上記メディア多重分離部からの第１の情報フレームを第２の情報フレームに変更して上記相手端末に送信し、上記第２の情報フレームを受信した上記相手端末からのチャネル追加のための制御フレームを受信後に、上記追加チャネルで上記メディア多重分離部からの第１の情報フレームを上記相手端末に送信する回線多重部とを備えたことを特徴とする回線多重化装置。
【請求項５】
回線多重部は、
受信したフレームが、チャネル追加のための制御フレーム、第１の情報フレーム又は第２の情報フレームであるかを判定するフレーム種別判定部と、
上記フレーム種別判定部の判定結果に基づき、送信するフレームを指示する送信フレーム制御部と、
相手端末からの追加チャネルの第１の情報フレームを再結合できない場合にエラーを通知するエラー通知部と、
チャネル追加のための制御フレームを生成し、上記送信フレーム制御部の指示に基づき、生成したチャネル追加のための制御フレームを送信し、追加チャネルでメディア多重分離部からの第１の情報フレームを送信すると共に、上記エラー通知部からのエラー通知に基づき、上記追加チャネルの第１の情報フレームを第２の情報フレームに変更して上記相手端末に送信し、上記フレーム種別判定部が、上記第２の情報フレームを受信した上記相手端末からのチャネル追加のための制御フレームを受信したと判定した際に、上記送信フレーム制御部の指示に基づき、上記追加チャネルで上記メディア多重分離部からの第１の情報フレームを上記相手端末に送信するフレーム分割部とを備えたことを特徴とする請求項４記載の回線多重化装置。
【請求項６】
フレーム分割部は、メディア多重分離部からの第１の情報フレームのヘッダ情報を変更することにより第２の情報フレームに変更することを特徴とする請求項５記載の回線多重化装置。
【発明の詳細な説明】
【０００１】
【発明の属する技術分野】
この発明は映像や音声やデータ等のメディア情報を送受信する回線多重化装置に関するものである。
【０００２】
【従来の技術】
非特許文献１に基づく従来の回線多重化装置においては、例えば、送信する制御フレームに、自局の受信状態を相手端末に通知する領域は存在せず、回線エラー等で相手端末からの制御フレームが正常に受信できなくても、相手端末に異常を通知することができない。
【０００３】
【非特許文献１】
ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｅｃｔｏｒ）  Ｈ．３２４ＡｎｎｅｘＨ、日本ＩＴＵ協会、Ｈシリーズ（オーディオビジュアル／マルチメディア関連）勧告集（その２）、２００２年１２月
【０００４】
【発明が解決しようとする課題】
従来の回線多重化装置は、以上のように構成されているので、自局からの送信フレームが相手端末で正常に受信できているかを確認できないために、無線通信で発生し易い回線エラー等により、相手端末が制御フレームを受信できていない状況で、情報フレームの送信状態に遷移して接続に失敗してしまう可能性が高いという課題があった。
【０００５】
また、回線エラー等でチャネルの追加に失敗した場合に、再度、呼接続から再開する以外に再開の方法がなく、呼接続からの再開に余分な時間や通信費用がかかる可能性があるという課題があった。
【０００６】
この発明は上記のような課題を解決するためになされたもので、相手端末が制御フレームを受信できていない状況で、情報フレームの送信状態に遷移して接続に失敗してしまうことを防止する回線多重化装置を得ることを目的とする。
【０００７】
また、チャネル追加に失敗した場合に、呼を切断することなく、チャネル追加を再開できる回線多重化装置を得ることを目的とする。
【０００８】
【課題を解決するための手段】
この発明に係る回線多重化装置は、複数のメディア情報を多重化して、相手端末に送信する情報フレームを生成すると共に、相手端末から受信した複数のメディア情報を分離するメディア多重分離部と、呼接続後に、第１のイニシャル制御フレームを相手端末に送信し、相手端末からの第１のイニシャル制御フレームを受信後に、第２のイニシャル制御フレームを相手端末に送信し、相手端末からの第２のイニシャル制御フレームを受信後に、メディア多重分離部からの情報フレームをチャネル毎に分割して送信する回線多重部とを備えたものである。
【０００９】
【発明の実施の形態】
以下、この発明の実施の一形態を説明する。
実施の形態１．
図１はこの発明の実施の形態１による回線多重化装置の構成を示すブロック図である。図１において、回線多重化装置１ａはカメラ２ａ，モニタ３ａ、マイク４ａ、スピーカ５ａと接続されると共に、無線ネットワーク６を介して、カメラ２ｂ，モニタ３ｂ、マイク４ｂ、スピーカ５ｂと接続された回線多重化装置１ｂに接続されている。
【００１０】
図１において、回線多重化装置１ａは、ビデオコーデック部１１、音声コーデック部１２、システム制御部１３、メディア多重分離部１４、回線多重部１５及びｎチャネル分の回線インタフェース（回線Ｉ／Ｆ）１６により構成されている。また、回線多重部１５は、ｎチャネル分の遅延バッファ２１、フレーム種別判定部２２、フレーム結合部２３、送信フレーム制御部２４及びフレーム分割部２５により構成されている。回線多重化装置１ｂも回線多重化装置１ａと同様の構成を備えている。
【００１１】
回線多重化装置１ａにおいて、システム制御部１３は回線多重化装置１ａ全体の制御を行う。メディア多重分離部１４は、ビデオコーデック部１１及び音声コーデック部１２から送信する画像データと音声データを多重化し送信する情報フレームをフレーム分割部２５に出力すると共に、フレーム結合部２３からの受信した情報フレームより画像データと音声データを分離しビデオコーデック部１１及び音声コーデック部１２に出力する。
【００１２】
また、回線多重化装置１ａにおいて、回線多重部１５は、制御フレームを生成し、生成した制御フレームを無線ネットワーク６とインタフェースするための回線インタフェース１６に出力し、メディア多重分離部１４からの送信する情報フレームをチャネルに分割して回線インタフェース１６に出力すると共に、回線インタフェース１６からの制御フレームを受信し、回線インタフェース１６からのチャネルに分割された情報フレームを受信し再結合してメディア多重分離部１４に出力する。
【００１３】
回線多重部１５において、ｎチャネル分の遅延バッファ２１は、ｎチャネル分の回線インタフェース１６からの情報フレームについて、伝送経路の違い等により回線上で発生するチャネル間の遅延差を吸収する。フレーム種別判定部２２は、遅延バッファ２１より読み出した受信したフレームの種別を判定し、判定結果を送信フレーム制御部２４に出力すると共に、チャネル毎の情報フレームをフレーム結合部２３に出力する。フレーム結合部２３はフレーム種別判定部２２からのチャネル毎の情報フレームを再結合してメディア多重分離部１４に出力する。
【００１４】
また、回線多重部１５において、送信フレーム制御部２４は、フレーム種別判定部２２の判定結果に基づき、送信するフレームの種別をフレーム分割部２５に指示する。
【００１５】
フレーム分割部２５は、複数種類の制御フレームを生成して、送信フレーム制御部２４の指示に基づき、生成した制御フレームを回線インタフェース１６に出力すると共に、メディア多重分離部１４からの情報フレームをチャネル毎に分割して各チャネルの回線インタフェース１６に出力する。
【００１６】
図２は回線多重化装置が送信する２種類のｉｎｉｔｉａｌ制御フレームのフォーマットを示す図である。図２（ａ）はｉｎｉｔｉａｌ制御フレームＡ（第１のイニシャル制御フレーム）のフォーマットを示し、図２（ｂ）はｉｎｉｔｉａｌ制御フレームＢ（第２のイニシャル制御フレーム）のフォーマットを示している。ｉｎｉｔｉａｌ制御フレームＡ，Ｂは、フレーム分割部２５により生成され、最初に開設したチャネルで送受信される制御情報である。
【００１７】
図２において、ＳＮ（シーケンスナンバ）は同一ブロックに割り振られる番号で０から７の値を周期的にとる。ＣＴ（チャネルタグ）は物理回線に割り振られた論理的なチャネル番号であり、連番で０から７までの値が重複なく割り振られる。ＳＳ（サンプルサイズ）はメディア多重ストリームの分割単位であり、１から２５５オクテットの値をとる。ＳＰＦ（サンプルパーフレーム）は情報フレーム中のサンプルサイズの数であり、１から２５５オクテットの値をとる。Ｌは最大ＣＴ値のチャネルが１、それ以外のチャネルが０となるフラグである。
【００１８】
図２に示すように、ｉｎｉｔｉａｌ制御フレームＡのＣＴ（チャネルタグ）の値は「０」であり、ｉｎｉｔｉａｌ制御フレームＢのＣＴの値は「１」となっており、このＣＴの値により、ｉｎｉｔｉａｌ制御フレームＡとｉｎｉｔｉａｌ制御フレームＢを区別している。
【００１９】
フレーム分割部２５は、図２に示す２種類のｉｎｉｔｉａｌ制御フレームＡとｉｎｉｔｉａｌ制御フレームＢを生成して、送信フレーム制御部２４からの指示に基づき、生成したｉｎｉｔｉａｌ制御フレームＡとｉｎｉｔｉａｌ制御フレームＢとメディア多重分離部１４からの情報フレームを送信する。
【００２０】
すなわち、呼接続確認後に、フレーム分割部２５は、送信フレーム制御部２４からの指示に基づき、ｉｎｉｔｉａｌ制御フレームＡを回線多重化装置１ｂに送信する。また、フレーム種別判定部２２が、呼接続に伴い回線多重化装置１ｂから送信されたｉｎｉｔｉａｌ制御フレームＡを受信したと判定した場合に、送信フレーム制御部２４からの指示に基づき、フレーム分割部２５はｉｎｉｔｉａｌ制御フレームＢを回線多重化装置１ｂに送信する。
【００２１】
さらに、フレーム種別判定部２２が、回線多重化装置１ｂから送信されたｉｎｉｔｉａｌ制御フレームＢを受信したと判定した場合に、送信フレーム制御部２４からの指示に基づき、フレーム分割部２５はメディア多重分離部１４からの情報フレームをチャネル毎に分割して回線多重化装置１ｂに送信する。
【００２２】
次に動作について説明する。
図３は実施の形態１による回線多重化装置の処理を示すシーケンス図である。回線多重化装置１ａより回線多重化装置１ｂへ通信を開始する場合、ステップＳＴ１１において、回線多重化装置１ａのシステム制御部１３は回線インタフェース１６を制御し、６４ｋｂｐｓ等の一回線で回線多重化装置１ｂに呼接続する。ステップＳＴ１２において、回線多重化装置１ｂは呼接続に対し応答する。
【００２３】
ステップＳＴ１３において、回線多重化装置１ａのフレーム分割部２５は、送信フレーム制御部２４の指示に基づき、ｉｎｉｔｉａｌ制御フレームＡの繰り返し送信を開始し、ステップＳＴ１４において、回線多重化装置１ｂも同様に、ｉｎｉｔｉａｌ制御フレームＡの繰り返し送信を開始する。
【００２４】
回線多重化装置１ａのフレーム種別判定部２２が回線多重化装置１ｂからのｉｎｉｔｉａｌ制御フレームＡを受信したと判定すると、ステップＳＴ１５において、回線多重化装置１ａのフレーム分割部２５は、送信フレーム制御部２４の指示に基づき、ｉｎｉｔｉａｌ制御フレームＢの繰り返し送信を開始する。同様に、回線多重化装置１ｂは、回線多重化装置１ａからのｉｎｉｔｉａｌ制御フレームＡを受信すると、ステップＳＴ１６において、回線多重化装置１ｂはｉｎｉｔｉａｌ制御フレームＢの繰り返し送信を開始する。
【００２５】
回線多重化装置１ａのフレーム種別判定部２２が回線多重化装置１ｂからのｉｎｉｔｉａｌ制御フレームＢを受信したと判定すると、ステップＳＴ１７において、回線多重化装置１ａのフレーム分割部２５は、送信フレーム制御部２４の指示に基づき、メディア多重分離部１４からの情報フレームをチャネル毎に分割して回線多重化装置１ｂに送信する。同様に、回線多重化装置１ｂが回線多重化装置１ａからのｉｎｉｔｉａｌ制御フレームＢを受信すると、ステップＳＴ１８において、回線多重化装置１ｂは回線多重化装置１ａに情報フレームを送信する。
【００２６】
回線多重化装置１ａのフレーム種別判定部２２が回線多重化装置１ｂからの情報フレームを受信したと判定すると、ステップＳＴ１９において、回線多重化装置１ａのフレーム分割部２５は、送信フレーム制御部２４の指示に基づき、引き続き情報フレームをチャネル毎に分割して回線多重化装置１ｂに送信する。同様に、回線多重化装置１ｂが回線多重化装置１ａからの情報フレームを受信すると、ステップＳＴ２０において、回線多重化装置１ｂは回線多重化装置１ａに引き続き情報フレーム送信する。
【００２７】
このように、回線多重化装置１ａ，１ｂは、互いに相手端末からのｉｎｉｔｉａｌ制御フレームＡを受信してからｉｎｉｔｉａｌ制御フレームＢを送信し、互いに相手端末からのｉｎｉｔｉａｌ制御フレームＢの受信を確認してから情報フレームを送信することにより、回線エラー等のために相手側と接続されていない状況で、情報フレームの送信状態に遷移して回線接続に失敗してしまうことを回避している。
【００２８】
図４は回線多重化装置１ａ，１ｂの送信フレーム制御部２４の処理の流れを示すフローチャートである。ステップＳＴ２１において、送信フレーム制御部２４はフレーム種別判定部２２の判定結果を確認し、ｉｎｉｔｉａｌ制御フレームＡを受信していると判定している場合には、ステップＳＴ２２において、送信フレーム制御部２４はフレーム分割部２５に対してｉｎｉｔｉａｌ制御フレームＢの送信を指示する。
【００２９】
ステップＳＴ２１でｉｎｉｔｉａｌ制御フレームＡを受信していないと判定している場合には、ステップＳＴ２３において、送信フレーム制御部２４はフレーム種別判定部２２の判定結果を確認し、ｉｎｉｔｉａｌ制御フレームＢを受信していると判定している場合には、ステップＳＴ２４において、送信フレーム制御部２４はフレーム分割部２５に対して情報フレームの送信を指示する。
【００３０】
ステップＳＴ２３でｉｎｉｔｉａｌ制御フレームＢを受信していないと判定している場合には、ステップＳＴ２５において、送信フレーム制御部２４はフレーム種別判定部２２の判定結果を確認し、情報フレームを受信していると判定している場合には、ステップＳＴ２４において、送信フレーム制御部２４はフレーム分割部２５に対して情報フレームの送信を指示する。ステップＳＴ２５で情報フレームを受信していないことを示している場合には処理を終了する。
【００３１】
以上のように、この実施の形態１によれば、相手端末にｉｎｉｔｉａｌ制御フレームＡを送信し、ｉｎｉｔｉａｌ制御フレームＡを受信した相手端末からｉｎｉｔｉａｌ制御フレームＢを受信することで相手端末との接続を確認した後に、情報フレームを送信することにより、回線エラー等のために相手端末と接続されていない状況で、情報フレームの送信状態に遷移して回線接続に失敗しまうことを回避できるという効果が得られる。
【００３２】
実施の形態２．
図５はこの発明の実施の形態２による回線多重化装置の構成を示すブロック図である。図５に示す回線多重化装置１ａ，１ｂは、実施の形態１の図１に示す回線多重化装置１ａ，１ｂの回線多重部１５に、エラー通知部２６を追加したものであり、その他の構成は実施の形態１の図１に示す構成と同様である。
【００３３】
この実施の形態２はチャネル追加に失敗した場合に、呼を切断することなく、チャネル追加を再開するもので、エラー通知部２６は、フレーム結合部２３が追加チャネルで受信した情報フレームの再結合に失敗した場合に、再結合失敗エラーをフレーム分割部２５に通知する。
【００３４】
図６は実施の形態２による回線多重化装置が送信するフルヘッダの場合の２種類の情報フレームのフォーマットを示す図であり、図６（ａ）は情報フレームＡ（第１の情報フレーム）を示し、図６（ｂ）は情報フレームＢ（第２の情報フレーム）を示している。また、図７は実施の形態２による回線多重化装置が送信する圧縮ヘッダの場合の２種類の情報フレームのフォーマットを示す図であり、図７（ａ）は情報フレームＡ（第１の情報フレーム）を示し、図７（ｂ）は情報フレームＢ（第２の情報フレーム）を示している。
【００３５】
図６に示すフルヘッダの情報フレームは接続初期の通信で使用される。フルヘッダの情報フレームで通信している状態では、ヘッダ情報に情報フレーム長（ＳＳ×ＳＰＦ）が含まれているため、自由に情報フレーム長を変更することができる。図７に示す圧縮ヘッダの情報フレームは、相手端末から、外部プロトコルで情報フレーム長を認識したことを知らせるメッセージが届いた場合の通信に使用される。圧縮ヘッダはフルヘッダに比べてヘッダサイズが小さくなっており、伝送効率が向上する。
【００３６】
図６及び図７において、「ＳＮ」、「ＣＴ」、「ＳＳ」、「ＳＰＦ」、「Ｌ」は図２に示すｉｎｉｔｉａｌ制御フレームのものと同一であり、情報フレームＡはメディア多重分離部１４が生成する情報フレームであり、情報フレームＢは、フレームの再結合に失敗した場合に、フレーム分割部２５がメディア多重分離部１４からの情報フレームＡを変更することにより生成された情報フレームである。
【００３７】
図６のフルヘッダの場合には、ヘッダ情報の６オクテット目の第１ビットがエラー表示フラグであり、情報フレームＡではエラー表示フラグが「０」で、情報フレームＢではエラー表示フラグが「１」となっている。また、図７の圧縮ヘッダの場合には、ヘッダ情報の３オクテット目の第８ビット（Ｘ）がエラー表示フラグであり、情報フレームＡではエラー表示フラグが「Ｘ＝０」で、情報フレームＢではエラー表示フラグが「Ｘ＝１」となっている。
【００３８】
図５において、回線多重化装置１ａのフレーム結合部２３が追加チャネルの情報フレームＡの再結合に失敗すると、エラー通知部２６は再結合失敗エラーをフレーム分割部２５に通知する。フレーム分割部２５は、追加チャネルの図６又は図７に示す情報フレームＡを、エラー表示フラグを変更することにより、情報フレームＢに変更する。
【００３９】
相手端末の回線多重化装置１ｂのフレーム種別判定部２２は、回線多重化装置１ａからの受信フレームが情報フレームＢであることを判別すると、回線多重化装置１ｂの送信フレーム制御部２４は、フレーム分割部２５に対して、追加チャネルに対し再度制御フレームの送信を指示する。
【００４０】
次に動作について説明する。
回線多重化装置１ａより回線多重化装置１ｂへ通信を開始する場合には、実施の形態１と同様に、回線多重化装置１ａのシステム制御部１３が回線インタフェース１６を制御し、６４ｋｂｐｓ等の一回線で回線多重化装置１ｂに呼接続し、その後、ｉｎｉｔｉａｌ制御フレームのやり取りを経て、情報フレームの送信状態に遷移する。
【００４１】
図８は実施の形態２による回線多重化装置の処理を示すシーケンス図である。ステップＳＴ２１において、回線多重化装置１ａは、チャネルの追加のために、さらに６４ｋｂｐｓ等の回線速度で回線多重化装置１ｂに呼接続し、ステップＳＴ２２において、回線多重化装置１ｂは呼接続に対して応答する。
【００４２】
ステップＳＴ２３において、発呼側の回線多重化装置１ａのフレーム分割部２５は、生成したチャネル追加のための制御フレームであるＲｅｑｕｅｓｔＡｄｄｉｔｉｏｎａｌ制御フレームを、送信フレーム制御部２４の指示に基づき繰り返し送信し、ステップＳＴ２４において、着信側の回線多重化装置１ｂも、同様にチャネル追加のための制御フレームであるＡｃｃｅｐｔＡｄｄｉｔｉｏｎａｌ制御フレームを繰り返し送信する。
【００４３】
互いに相手端末からのチャネル追加のための制御フレーム（ＲｅｑｕｅｓｔＡｄｄｉｔｉｏｎａｌ制御フレーム又はＡｃｃｅｐｔＡｄｄｉｔｉｏｎａｌ制御フレーム）が、各フレーム種別判定部２２により正常に受信できたと判定された場合には、ステップＳＴ２５，２６において、各送信フレーム制御部２４の指示に基づき、各フレーム分割部２５は、チャネル追加のための制御フレームの繰り返し送信を停止し、追加チャネルの情報フレームＡの送信に移行し、同時に、既に送信している他のチャネルの情報フレームＡと共にヘッダ情報の更新を行う。このヘッダ情報の更新では、チャネル再結合のためにチャネルタグＣＴ及びフラグＬを更新する。
【００４４】
図９及び図１０は追加チャネルの再結合を説明する図である。図９は回線遅延のために追加チャネル（ＣＨ１）が既に情報フレームＡを送信しているチャネル（ＣＨ０）に対して進んだ場合を示し、図１０は回線遅延のために追加チャネル（ＣＨ１）が既に情報フレームＡを送信しているチャネル（ＣＨ０）に対して遅れた場合を示している。
【００４５】
図９及び図１０において、送信側のチャネル追加動作は、既に情報フレームＡを送信しているチャネル（ＣＨ０）内の最終チャネル（Ｌ＝１）のＬビットが１から０に変化するタイミングで、追加チャネル（ＣＨ１）を制御フレームから情報フレームＡに変更することである。
【００４６】
また、図９及び図１０において、受信側は、既に情報フレームＡを受信しているチャネル（ＣＨ０）内の最終チャネルのＬビットが１から０に変化するタイミングと、追加チャネル（ＣＨ１）が、制御フレームから情報フレームＡに変化するタイミングの時間差より、回線上で発生する遅延量を知ることができる。受信側では、回線上で発生する遅延量相当分のデータを遅延バッファ２１に一旦蓄積して読み出すことにより、チャネルの再結合を行うことができる。
【００４７】
このように、情報フレームＡを受信した回線多重化装置１ａ，１ｂは、追加チャネル（ＣＨ１）での制御フレームから情報フレームＡへの変化タイミングと、既存の情報フレームＡを受信しているチャネル（ＣＨ０）でのヘッダ情報のＬビットの変化タイミングから追加チャネルと既存チャネルとの遅延差を知ることができ、フレーム結合部２３は複数のチャネルに分割された情報フレームＡを再結合してメディアストリームを復元することができる。
【００４８】
しかし、図８のステップＳＴ２６に示すように、回線エラー等により、回線多重化装置１ａが、追加チャネルで制御フレームから情報フレームＡに変化するタイミングを検出できない場合には、既存チャネルと追加チャネルの遅延差を知ることができず、回線多重化装置１ｂから送信された情報フレームＡを再結合することができなくなる。
【００４９】
回線多重化装置１ａのフレーム結合部２３が追加チャネルの情報フレームＡを再結合できない場合に、エラー通知部２６はフレーム分割部２５に再結合失敗エラーを通知する。再結合失敗エラーを受信したフレーム分割部２５は、ステップＳＴ２７において、追加チャネルの情報フレームＡを、ヘッダ情報のエラー表示フラグを変更することにより、情報フレームＢに変更して送信する。すなわち、フレーム分割部２５は、図６に示すフルヘッダの場合には、ヘッダ情報の６オクテット目の第１ビットを「０」から「１」に変更し、図７に示す圧縮ヘッダの場合には、ヘッダ情報の３オクテット目の第８ビットを、「Ｘ＝０」から「Ｘ＝１」に変更して送信する。
【００５０】
回線多重化装置１ｂのフレーム種別判定部２２は、追加チャネルで受信している情報フレームＡが情報フレームＢに変更されたことを検知すると、回線多重化装置１ｂの送信フレーム制御部２４は、フレーム分割部２５に追加チャネルでＡｃｃｅｐｔＡｄｄ制御フレームを送信するよう指示し、ステップＳＴ２８において、フレーム分割部２５は、追加チャネルで再びＡｃｃｅｐｔＡｄｄ制御フレームを送信する。
【００５１】
回線多重化装置１ａのフレーム種別判定部２２は、情報フレームＢを送信している追加チャネルでＡｃｃｅｐｔＡｄｄ制御フレームを受信したと判定すると、ステップＳＴ２９において、送信フレーム制御部２４はフレーム分割部２５に追加チャネルで情報フレームＡを送信するよう指示し、フレーム分割部２５は追加チャネルで情報フレームＢから情報フレームＡに変更して送信する。
【００５２】
回線多重化装置１ｂのフレーム種別判定部２２は、受信フレームが情報フレームＢから情報フレームＡに変更されたことを検知すると、ステップＳＴ３０において、回線多重化装置１ｂの送信フレーム制御部２４はフレーム分割部２５に追加チャネルで情報フレームＡを送信するよう指示し、フレーム分割部２５は追加チャネルで再び情報フレームＡを送信する。
【００５３】
図１１は回線多重化装置１ａ，１ｂの送信フレーム制御部２４のチャネル追加時の処理の流れを示すフローチャートである。ステップＳＴ４１において、送信フレーム制御部２４はフレーム種別判定部２２の判定結果を確認し、情報フレームＢを受信していることを示している場合には、ステップＳＴ４２において、送信フレーム制御部２４はフレーム分割部２５に対してチャネル追加のための制御フレーム（ＲｅｑｕｅｓｔＡｄｄ制御フレーム又はＡｃｃｅｐｔＡｄｄ制御フレーム）の送信を指示する。
【００５４】
ステップＳＴ４１で、送信フレーム制御部２４はフレーム種別判定部２２の判定結果が情報フレームＢを受信していないことを示している場合には、情報フレームＡを受信していることになり、追加チャネルの再結合の失敗が発生していないので、送信フレーム制御部２４は何もせずに処理を終了する。
【００５５】
以上のように、この実施の形態２によれば、相手端末の追加チャネルの再結合失敗を情報フレームＢの受信により検出することが可能となるため、チャネル追加のための制御フレームの送信シーケンスまで戻ることが可能となり、回線エラー等によりチャネル追加に失敗しても、呼を切断せずに自動的にチャネルの追加の再開を行うことができるという効果が得られる。
【００５６】
【発明の効果】
以上のように、この発明によれば、複数のメディア情報を多重化して、相手端末に送信する情報フレームを生成すると共に、相手端末から受信した複数のメディア情報を分離するメディア多重分離部と、呼接続後に、第１のイニシャル制御フレームを相手端末に送信し、相手端末からの第１のイニシャル制御フレームを受信後に、第２のイニシャル制御フレームを相手端末に送信し、相手端末からの第２のイニシャル制御フレームを受信後に、メディア多重分離部からの情報フレームをチャネル毎に分割して送信する回線多重部とを備えたことにより、回線エラー等のために相手端末と接続されていない状況で、情報フレームの送信状態に遷移して回線接続に失敗しまうことを回避できるという効果がある。
【図面の簡単な説明】
【図１】この発明の実施の形態１による回線多重化装置の構成を示すブロック図である。
【図２】この発明の実施の形態１による回線多重化装置が伝送するｉｎｉｔｉａｌ制御フレームのフォーマットを示す図である。
【図３】この発明の実施の形態１による回線多重化装置の処理を示すシーケンス図である。
【図４】この発明の実施の形態１による回線多重化装置の送信フレーム制御部の処理の流れを示すフローチャートである。
【図５】この発明の実施の形態２による回線多重化装置の構成を示すブロック図である。
【図６】この発明の実施の形態２による回線多重化装置が伝送するフルヘッダの場合の情報フレームのフォーマットを示す図である。
【図７】この発明の実施の形態２による回線多重化装置が伝送する圧縮ヘッダの場合の情報フレームのフォーマットを示す図である。
【図８】この発明の実施の形態２による回線多重化装置の処理を示すシーケンス図である。
【図９】この発明の実施の形態２による回線多重化装置における追加チャネルの再結合を説明する図である。
【図１０】この発明の実施の形態２による回線多重化装置における追加チャネルの再結合を説明する図である。
【図１１】この発明の実施の形態２による回線多重化装置の送信フレーム制御部の処理の流れを示すフローチャートである。
【符号の説明】
１ａ，１ｂ  回線多重化装置、２ａ，２ｂ  カメラ、３ａ，３ｂ  モニタ、４ａ，４ｂ  マイク、５ａ，５ｂ  スピーカ、６  無線ネットワーク、１１  ビデオコーデック部、１２  音声コーデック部、１３  システム制御部、１４  メディア多重分離部、１５  回線多重部、１６  回線インタフェース、２１  遅延バッファ、２２  フレーム種別判定部、２３  フレーム結合部、２４  送信フレーム制御部、２５  フレーム分割部、２６  エラー通知部。
【図１】
2004282493.tif 000003
【図２】
2004282493.tif 000004
【図３】
2004282493.tif 000005
【図４】
2004282493.tif 000006
【図５】
2004282493.tif 000007
【図６】
2004282493.tif 000008
【図７】
2004282493.tif 000009
【図８】
2004282493.tif 000010
【図９】
2004282493.tif 000011
【図１０】
2004282493.tif 000012
【図１１】
2004282493.tif 000013